(57)【特許請求の範囲】
【請求項１】
盛土補強材を介在しながら構築する補強盛土層の法面を形成し保護する構造体において、法面勾配に合わせて複数本縦方向に平行配置された縦木、前記縦木の前面を覆い構造体の外部に盛土材が流出するのを防ぐ土砂流出防止ネット、前記土砂流出防止ネットの前面を覆い巻き返して盛土内に敷設した盛土補強材と連結される高密度ポリエチレン製の補強メッシュ体、前記補強メッシュ体の前面で前記縦木と直交するように複数本横方向に平行配置された横木で構成された壁面部を有し、前記壁面部の下部から水平で法面の背面方向に配置された控木、前記縦木と前記控木を法面の背面で斜めに連結する支え木で壁面部の立設状態を保持する構造体で、土砂流出防止ネット、補強メッシュ体、各部材を連結するボルトナット以外は全て間伐材等の木材を使用していることを特徴とする木製土留壁構造体。
【請求項２】
請求項１の構造体において、壁面部の変形を防ぐ役割をする横木を、間隔置いて配置することを特徴とする木製土留壁構造体。
【発明の詳細な説明】
【０００１】
【発明が属する技術分野】
この発明は、道路、土砂捨場等の盛土、山腹山留等の擁壁や河川、山地流路等の護岸で、特に木材を利用する擁壁や護岸の形状に関する。
【０００２】
【従来の技術】
従来、道路擁壁、土砂捨場等の盛土擁壁、山腹山留擁壁や河川護岸、山地流路は、現場打コンクリート擁壁、コンクリートブロック擁壁、プレキャストＬ型擁壁等のコンクリート材や鋼製篭枠、補強土擁壁等の鋼製材を主体とした構造体が殆どで、木製構造体は、腐食し易い為永久構造体で使用されず、本格的な資材としては敬遠されている。また、鋼製篭枠や補強土擁壁においては、景観の向上を目的として、擁壁の前面に間伐材等の木材を取付けているものもある。
【０００３】
前記の補強土擁壁において、
（Ａ）壁面部に補強メッシュ体を有し、正面を間伐材で全面覆う補強土擁壁法面ユニット（特開２００３−１２９４７８号公報「法面保護ユニット及び法面保護方法」）
（Ｂ）間伐材の横ビームと植生用シートによって形成された壁面材による補強土擁壁構造（特開２００２−２７５８９９号公報「壁面材による補強土壁構造」）
の２つの特許が既に公開されて公知となっている。
【０００４】
【発明が解決しようとする課題】
しかしながら、コンクリート材は自然と融合しにくく、景観が損なわれ、その上重量も増加し、施工性が低下するという不都合が生じている。また、鋼製材は、緑化が可能で自然に馴染み易いが、酸性土壌や酸性水で腐食が進み、安定性に欠け重量が増加する。
【０００５】
また、（Ａ）「法面保護ユニット及び法面保護方法」の先行発明では、補強土擁壁の壁面全体を間伐材で覆ってしまう為、壁面の緑化が望めないという問題点がある。ならびに、（Ｂ）「壁面材による補強土壁構造」の先行発明では、間伐材の横ビームで背面盛土の壁面部における変形を抑えている為、防腐処理による間伐材の耐久性を向上させるか、腐食した横ビームを新品に交換しなければならない。さらには、背面盛土が洩れ出るのを防止するのに植生シートを設けているが、河川沿いの道路擁壁や河川護岸では、植生シートだけでは流水による盛土材の流出を防ぐことが出来ないという問題点がある。
【０００６】
本発明は、先行発明の前記問題点を解決することを目的とし、自然と融合して景観が優れ、かつ安定性の高い構造体にすることを課題とする。
【０００７】
【課題を解決するための手段】
以上の課題を解決するために、盛土補強材を介在しながら構築する補強盛土層の法面を形成し保護する構造体において、法面勾配に合わせて複数本縦方向に平行配置された縦木、前記縦木の前面を覆い構造体の外部に盛土材が流出するのを防ぐ土砂流出防止ネット、前記土砂流出防止ネットの前面を覆い巻き返して盛土内に敷設した盛土補強材と連結される高密度ポリエチレン製の補強メッシュ体、前記補強メッシュ体の前面で前記縦木と直交するように複数本横方向に平行配置された横木で構成された壁面部を有し、前記壁面部の下部から水平で法面の背面方向に配置された控木、前記縦木と前記控木を法面の背面で斜めに連結する支え木で壁面部の立設状態を保持する構造体で、土砂流出防止ネット、補強メッシュ体、各部材を連結するボルトナット以外は全て間伐材等の木材を使用していることを特徴とするものである。
【０００８】
そして、前記の構造体において、壁面部の変形を防ぐ役割をする横木を、間隔置いて配置することを特徴とするものである。
【０００９】
【発明の効果】
この木製土留壁構造体は、壁面部に土砂流出防止ネット、補強メッシュ体、間伐材等の木材で構成され、補強メッシュ体は盛土内に敷設した盛土補強材と連結されることによって、高い安定性を得ることができる。また、壁面部の変形を防ぐ役割をする横木を、間隔置いて配置することで、植生の導入を良好にし、植生と間伐材等の木材の融合により景観を向上することができる。
【００１０】
【発明を実施するための最良の形態】
この発明の一実施形態を、図１〜図９に示す。
図１は構造体の断面図、図２は斜視図である。構造体は、縦木２、底木４、５を連結する控木７、縦木２と控木７を連結する支え木６、縦木２の横断方向に多段等間隔に取付けられる横木１と天端木３、横木１と縦木２の間に補強メッシュ体９と土砂流出防止ネット１０からなる。
【００１１】
例えば、両側面削り取り、長さ１．０mに切断された縦木２を、法面勾配に合わせて加工され、長さ２．４ｍに切断された勾配調整底木４と天端木３の間に、両端を２０ｃｍ余して、等間隔で直交するように３本配置し、壁面枠を形成する。
【００１２】
また、ポリエチレンネットにアラミド繊維等の繊維強化プラスチック材を組み合わせて成り、高強力、低伸度特性を持つ、幅１．２ｍの補強メッシュ体９（例えば、アデムという製品がある。）を長さ２．３ｍに切断する。さらに、網目３ｍｍ、幅１．０ｍの土砂流出防止ネット１０を長さ２．４ｍに切断する。
【００１３】
図３に示すように、前記の壁面枠の上面に、土砂流出防止ネット１０を縦木２と直交するように敷設し、補強メッシュ体９は、天端木３側を５０ｃｍ程度はみ出させ、縦木２と平行に２列並べて敷設する。その上から、図４に示すように断面半円状に加工した横木１を、両端を２０ｃｍ余して、等間隔で縦木２と直交するように４本配置し、ボルトナット１３で前記の壁面枠と一体化して壁面部が形成される。
【００１４】
次に図５のように、底木５は勾配調整底木４と水平になるように、控木７で固定して底面部を形成する。この底面部と壁面部を連結する役割をする斜帯部として、支え木６を縦木２と控木７の間に斜めに取り付ける。このとき図６のように、支え木６と縦木２の連結部を強化するため、両者の間に連結あて木８を挿入する。以上のようにして、構造体は形成される。
【００１５】
また、前記の構造体を複数段積み上げた断面を図７で示す。補強メッシュ体９の上端部及び下端部は、盛土内に敷設された盛土補強材１１と連結金具１２で連結され、一体化構造で土の拘束をする。また、なるべく壁面部に直接土圧がかからないように複数段の層厚管理材を敷設する。
【００１６】
例えば、図８に示すように、構造体を横に並べて敷設する場合、隣接する構造体の横木１を交互に重複して配置すれば、補強メッシュ体を隙間無く十分に重ねることが出来る。また、曲線部施工の場合において、水平曲がり角や、高低差で生じる天端と底面の延長差を前記の重複部で調節でき、施工を容易にすることが出来る。また、間隔をおいて横木を敷設することで、草花の種子を落ちにくくし、緑化を良好に出来る。緑化の方法として、図９のように植生シートの併用や図１０のような柳やウツギ等の苗木の植栽が考えられる。
【００１７】
さらには、補強メッシュ体９と土砂流出防止ネット１０の２つを壁面部に使用することで、河川沿いの道路擁壁や河川護岸においても、背面盛土が洩れ出ることを防ぐことが出来るので、より安定性の高い構造体となる。
【００１８】
また、構造体は間伐材、補強メッシュ体、土砂流出防止ネットだけで構成されているので、重い資材の搬入の難しい山間部奥地では、現場の間伐材を利用して組み立てることができる。
【００１９】
【実施形態の効果】
この実施形態によれば、次のような効果を得ることが出来る。
（イ）構造体は、多量の間伐材を使用するので、処分が問題になっている間伐材の有効活用が図れる。
（ロ）構造体の壁面部は、間伐材の横木によって草花の種子を落ちにくくし、緑化を良好に出来るうえ、植生と間伐材の融合から自然景観を向上することが出来る。
（ハ）構造体は、補強メッシュ体で土を拘束し、土砂流出防止ネットで背面盛土の洩れ出ることを防止しているので、高い安定性を得ることが出来る。
（ニ）構造体は、内部の木材が腐食しても崩壊しないので、使用する木材は薬品による防腐処理をする必要がなく、化学物質等による土壌や河川の汚染をきたす恐れが無くなる。
（ホ）構造体の壁面部は、土砂流出防止ネットを使用して背面盛土の洩れ出るのを防ぐので、河川沿いの道路擁壁や河川護岸として利用でき、植生と間伐材の両立で水辺の生態系の保護が期待できる。
（へ）構造体は、造林地においては、現地の間伐材をそのまま利用でき、現地での組立も容易なので、重い資材の搬入の難しい山間部奥地でも施工することが出来る。
【図面の簡単な説明】
【図１】構造体の断面図である。
【図２】構造体の斜視図である。
【図３】構造体の横木取り付け前の壁面部正面図である。
【図４】構造体の横木取り付け後の壁面部正面図である。
【図５】構造体の底面部詳細断面図である。
【図６】構造体の斜帯部詳細断面図である。
【図７】構造体の多段積み断面図である。
【図８】構造体の正面配置図である。
【図９】構造体の植生シートによる緑化方法である。
【図１０】構造体の苗木植栽による緑化方法である。
【符号の説明】
１    横木
２    縦木
３    天端木
４    勾配調整底木
５    底木
６    支え木
７    控木
８    連結あて木
９    補強メッシュ体
１０  土砂流出防止ネット
１１  盛土補強材
１２  連結金具
１３  ボルトナット
１４  層厚管理材
１５  構造体
１６  植生シート
１７  苗木
【要約】      （修正有）【課題】盛土補強材を介在しながら構築する補強盛土層の法面を形成し保護する土留壁構造体において、植生と間伐材等の木材の融合による自然景観が優れ、かつ安定性の高い構造体にする。
【解決手段】法面勾配に合わせて複数本縦方向に平行配置された縦木２、縦木の前面を覆った土砂流出防止ネット１０、土砂流出防止ネットの前面を覆い巻き返して盛土内に敷設した盛土補強材と連結される高密度ポリエチレン製の補強メッシュ体９、補強メッシュ体の前面で縦木と直交するように複数本横方向に平行配置された横木１で構成された壁面部を有し、補強メッシュ体で土を拘束し、土砂流出防止ネットで背面盛土の洩れ出ることを防止して、内部の木材が腐食しても崩壊しない安定性の高い木製土留壁構造体とする。また、横木を間隔置いて配置することで、植生と間伐材を融合して自然景観を向上させることができる木製土留壁構造体とする。
【選択図】図１【図１】
0003595830.tif 000002
【図２】
0003595830.tif 000003
【図３】
0003595830.tif 000004
【図４】
0003595830.tif 000005
【図５】
0003595830.tif 000006
【図６】
0003595830.tif 000007
【図７】
0003595830.tif 000008
【図８】
0003595830.tif 000009
【図９】
0003595830.tif 000010
【図１０】
0003595830.tif 000011